(57)【要約】【課題】打撃系の競技等に際して着用され、高い緩衝効果をもって着用者の下腹部を衝撃から保護しうるインナーサポータを提供すること。【解決手段】伸縮性を有する布地素材を短パンツ乃至長パンツ形状に形成してなるサポータ本体と、該サポータ本体の股上内面部分に配設した内ポケットと、前記サポータ本体の股上外面部分に遊動自在に配設した外ポケットとを備え、前記内ポケットに収納した内ファウルカップと前記外ポケットに収納した外ファウルカップとを積層状態で着用するようにしたこと。【選択図】図５
0003133520.tif 000002
【実用新案登録請求の範囲】
【請求項１】
伸縮性を有する布地素材を短パンツ乃至長パンツ形状に形成してなるサポータ本体と、該サポータ本体の股上内面部分に配設した内ポケットと、前記サポータ本体の股上外面部分に遊動自在に配設した外ポケットとを備え、前記内ポケットに収納した内ファウルカップと前記外ポケットに収納した外ファウルカップとを積層状態で着用するようにしたことを特徴とするインナーサポータ。
【請求項２】
内ポケットを前記サポータ本体の股上内面部分に遊動自在に配設した請求項１のインナーサポータ。
【請求項３】
内ポケットの下端部から延設し、サポータ本体股部の適宜位置に設けた挿通口を通してサポータ本体の外部に引出された帯状部材と、該帯状部材の先端部をサポータ本体の後面に固定するファスナ機構とを備えた請求項１又は２のインナーサポータ。
【考案の詳細な説明】
【技術分野】
【０００１】
本考案は、武道、スポーツ、格闘技などを行う者が着用してその下腹部を保護することができるサポータに関するものである。
【背景技術】
【０００２】
空手やキックボクシングなど身体への打撃を伴う競技においては、下腹部（いわゆる「急所」のこと、以下、同じ）へ受けた衝撃から競技者が体調を崩し競技自体が中断してしまうことがあり、従来から緩衝効果の高いプロテクタの開発が望まれている。
【０００３】
また、軟式少年野球においてもキャッチャを含めた内野手全員に対して局部を保護するためのファールカップの着用が義務付けられる方向にある。
【０００４】
ファールカップを備えたインナーサポータとしては、サポータ本体の股上部分に備えられたポケット部にファールカップを配設してなるものが既に公知である（特許文献１参照）。
【０００５】
しかしながら、インナーサポータ着用中においてはファールカップが妄動してしまうため、着用者の身体に対し相当程度にこのファールカップが押圧されるようインナーサポータを構成する必要があるところ、実用に際しては、衝撃を殺すことができず充分な緩衝効果乃至は衝撃拡散効果を得られない場合が多いということが判った。
【特許文献１】実願２００６−８９４４
【考案の開示】
【考案が解決しようとする課題】
【０００６】
そこで本考案は従来のインナーサポータが有する上記の不具合に鑑み、打撃系の競技等に際して着用され、高い緩衝効果をもって着用者の下腹部を衝撃から保護しうるインナーサポータを提供することを課題とする。
【課題を解決するための手段】
【０００７】
上記課題の解決を目的としてなされた本考案インナーサポータの構成は、伸縮性を有する布地素材を短パンツ乃至長パンツ形状に形成してなるサポータ本体と、該サポータ本体の股上内面部分に配設した内ポケットと、前記サポータ本体の股上外面部分に遊動自在に配設した外ポケットとを備え、前記内ポケットに収納した内ファウルカップと前記外ポケットに収納した外ファウルカップとを積層状態で着用するようにしたことを特徴とするものである。また、本考案インナーサポータは内ポケットを前記サポータ本体の股上内面部分に遊動自在に配設してもよい。さらに、内ポケットの下端部から延設し、サポータ本体股部の適宜位置に設けた挿通口を通してサポータ本体の外部に引出された帯状部材と、該帯状部材の先端部をサポータ本体の後面に固定するファスナ機構とを備えるよう構成することも可能である。
【考案の効果】
【０００８】
本考案インナーサポータは、サポータ本体の股上外面部分において遊動自在な外ファウルカップと、股上内面部分に位置する内ファウルカップとが積層状態で使用されて着用者の局部を保護しうるので高い衝撃拡散効果を奏する。また、内ポケットについてもサポータ本体に対して遊動自在に配設することで、緩衝効果をより向上させることができる。さらに、サポータ本体股部の適宜位置から引出された帯状部材を着用者の股部後方から引上げ、サポータ本体後面にて固定することで、着用中における内ファウルカップの妄動を減ずることができる。この結果、実用に際しても、衝撃を殺すことができず充分な緩衝効果が得られない、乃至は衝撃拡散効果が得られないといった事態を完全に防止することができる。
【考案を実施するための最良の形態】
【０００９】
次に、本考案インナーサポータの実施の形態例について図に拠り説明する。図１は本考案インナーサポータを例示する正面図、図２は内ポケットを仮想線で例示した本考案インナーサポータの側端面図、図３はファウルカップの一例を示した正面図、図４は内外ファウルカップを比較するための側端面図、図５は内外ファウルカップの装着態様を仮想線で例示した本考案インナーサポータの側端面図、図６は帯状部材の固定態様を例示した斜視図である。
【００１０】
図１において、１は本考案に係るインナーサポータの一例であって、伸縮性を有するポリエステルなどの布地素材をパンツ形状に形成してなるサポータ本体Bと、該サポータ本体Bの股上内面部分に配設した内ポケットPｉと、前記サポータ本体Ｂの股上外面部分に配設した外ポケットＰｏとを備えている。
【００１１】
外ポケットＰｏは、サポータ本体Ｂの股上外面部にポケットPｏの上部及び下部を縫着固定されているが、中間部に関しては何ら固着されず遊動自在に設けられている。
【００１２】
外ポケットＰｏには、上部の開口から外ファウルカップＦｏを装着することができる。内ポケットＰｉは、サポータ本体Ｂの股上内面部に少なくとも上部を縫着等によって固定されており、上部の開口からは内ファウルカップＦｉを装着することができる。
【００１３】
ファウルカップＦは、プラスチック等の硬質素材を異形ドーム状に形成したカップ本体Ｆｂと、その略環状裾部を被装するゴム等のクッション材Ｆｒとを備えて構成される。
【００１４】
ここで内ファウルカップＦｉは、図4に示すように、外ファウルカップＦｏよりも稍小さく設計されており、図５に示すように、インナーサポータ１の着用時においては内外ファウルカップＦｉ、Ｆｏが着用者の局部に対して積層した態様で保持・装着されることとなる。このとき、外ポケットＰｏはサポータ本体Ｂに対して遊動可能なため、該外ポケットＰｏに内設された外ファウルカップＦｏは着用者の受ける衝撃を効果的に緩和することができる。
【００１５】
また、内ポケットＰｉを遊動自在に配設したインナーサポータ1においては、さらに高い衝撃拡散効果を得られることはいうまでもない。
【００１６】
内ポケットＰｉの下端部からは帯状部材ｔが延設されている。この帯状部材ｔは、サポータ本体Ｂの股部の適宜位置に設けられた挿通口Ｈから外部へ引出される。着用者は、この帯状部材ｔを自己の臀部から背面へ向けて引上げることで、内ポケットＰｉと共にこれに内設された内ファウルカップＦｉの押圧力乃至は装着感を適宜調節することができる。引上げた帯状部材ｔについては、図6に示すとおり、サポータ本体Ｂの後面に配設された面ファスナ等のファスナ部材Ｓによって、内ポケットＰｉ及び内ファウルカップＦｉと一体に該サポータ本体Ｂに対して固定することができる。これにより、内ファウルカップＦｉの妄動から着用者の注意力を殺がれてしまうといったような不都合についても回避できることとなる。
【産業上の利用可能性】
【００１７】
本考案は以上の通りであって、サポータ本体の股上外面部分において遊動自在な外ファウルカップと、股上内面部分に位置する内ファウルカップとが積層状態で使用されて着用者の局部を保護しうるので高い衝撃拡散効果を奏し、また、内ポケットについてもサポータ本体に対して遊動自在に配設することで、緩衝効果をより向上させることができ、さらに、サポータ本体股部の適宜位置から引出された帯状部材を着用者の股部後方から引上げ、サポータ本体後面にて固定することで、着用中における内ファウルカップの妄動を減ずることができるので、この結果として、実用に際しても、衝撃を殺すことができず充分な緩衝効果が得られない、乃至は衝撃拡散効果が得られないといった事態を完全に防止することができるからインナーサポータに適用してきわめて有用である。
【図面の簡単な説明】
【００１８】
【図１】本考案インナーサポータを例示する正面図。
【図２】内ポケットを仮想線で例示した本考案インナーサポータの側端面図。
【図３】ファウルカップの一例を示した正面図。
【図４】内外ファウルカップを比較するための側端面図。
【図５】内外ファウルカップの装着態様を仮想線で例示した本考案インナーサポータの側端面図。
【図６】帯状部材の固定態様を例示した斜視図。
【符号の説明】
【００１９】
１    本考案インナーサポータ
Ｂ    サポータ本体
Ｐｏ  外ポケット
Ｐｉ  内ポケット
Ｆ    ファウルカップ
Ｆｂ  カップ本体
Ｆｒ  クッション部材
Ｆｏ  外ファウルカップ
Ｆｉ  内ファウルカップ
Ｈ    挿通口
ｔ    帯状部材
Ｓ    ファスナ部材
【図１】
0003133520.tif 000003
【図２】
0003133520.tif 000004
【図３】
0003133520.tif 000005
【図４】
0003133520.tif 000006
【図５】
0003133520.tif 000007
【図６】
0003133520.tif 000008